(57)【要約】【課題】高性能で安価な換気扇を提供する。【解決手段】本換気扇は、電動ファンが内装される金属の枠体が取付壁の開口部に挿入して取り付けられ、枠体は本体カバーを取り付ける平板ロ字状の前枠と、この前枠内側から一体かつ枠体の排気側に平行に延びる平板状の一対の取付枠部と、ロ字状開口を形成するように一対の取付枠部間に平行に橋設される平板状の一対の補強枠材とを備える。【選択図】  図４
2008175509.tif 000002
【特許請求の範囲】
【請求項１】
取付壁の開口部に挿入して取り付けられる金属の枠体と、
この枠体内に配された電動ファンと、
前記枠体の一方側に配した開閉可能なシャッタと、
前記枠体の他方側に配し、前記電動ファンの外周に配した本体カバーとを有する換気扇において、
前記枠体は、前記本体カバーを取り付ける平板ロ字状の前枠と、
この前枠の内側から一体かつ前記枠体の一方側に平行に延びる一対の取付枠部と、
ロ字状開口を形成するように前記一対の取付枠部間に平行に橋設される一対の補強枠材とを備えることを特徴とする換気扇。
【請求項２】
前記一対の補強枠材の前端は、補助取付枠部に溶着固定されることを特徴とする請求項１に記載の換気扇。
【請求項３】
前記取付枠部の先端部をカール状にすることを特徴とする請求項１または２に記載の換気扇。
【発明の詳細な説明】
【技術分野】
【０００１】
本発明は換気扇に係り、特に取付壁に設けた取付孔に取り付けて使用される換気扇に関する。
【背景技術】
【０００２】
この種、換気扇の取り付けは、取付壁に設けた正方形状の取付孔に、モータを取り付けた枠体を嵌め込むことで行われる。
【０００３】
通常、この枠体はファンガイド部を備えた本体カバーを支持し、取付壁とほぼ平行になるように設けた前枠と、この前枠から垂直に立設される正方形状の取付枠から構成され、この前枠と取付枠は板金材の一体プレス成形（一体絞り加工）により、継ぎ目なく一体に形成される（例えば、特許文献１参照）。
【０００４】
しかしながら、特許文献１に記載の換気扇は以下の諸問題がある。
【０００５】
図７に示すように、（１）製造上、枠体４１の４隅４２を小さなＲ（円弧）形状にすると、加工時に板金材が割れるため、大きなＲ形状をとる必要があり、枠体の排気側に平坦部４３を設け、Ｒ形状の４隅４２がシャッタ４４に影響を与えないように、上部と下部の開口面積を狭める構造があるが、著しく排気性能が低下する。（２）前枠と取付枠が一体絞り加工であるため、シャッタ４４を細長板状のシャッタ取付部材４５を固着するためのカシメ孔などを枠体４１に設ける必要があり、加工が難しく工程も増加し、コストアップになる。（３）一体絞り加工時、板金材表面に付されたメッキ層が剥離するため追加の塗装を必要としたり、特殊の絞り材を使用するためコストアップになる。
【特許文献１】特開平４−２０３７２５号公報
【発明の開示】
【発明が解決しようとする課題】
【０００６】
本発明は上述した事情を考慮してなされたもので、高性能で安価な換気扇を提供することを目的とする。
【課題を解決するための手段】
【０００７】
上述した目的を達成するため、本発明に係る換気扇は、取付壁の開口部に挿入して取り付けられる金属の枠体と、この枠体内に配された電動ファンと、前記枠体の一方側に配した開閉可能なシャッタと、前記枠体の他方側に配し、前記電動ファンの外周に配した本体カバーとを有する換気扇において、前記枠体は、前記本体カバーを取り付ける平板ロ字状の前枠と、この前枠の内側から一体かつ前記枠体の一方側に平行に延びる一対の取付枠部と、ロ字状開口を形成するように前記一対の取付枠部間に平行に橋設される一対の補強枠材とを備えることを特徴とする。
【発明の効果】
【０００８】
本発明に係る換気扇によれば、高性能で安価な換気扇を提供することができる。
【発明を実施するための最良の形態】
【０００９】
本発明の一実施形態に係る換気扇について添付図面を参照して説明する。
【００１０】
図１は本発明の一実施形態に係る換気扇の斜視図、図２は本換気扇から電動ファンを除去して示す斜視図である。
【００１１】
図１及び図２に示すように、本実施形態に係る換気扇１は、部屋などの取付壁に取り付けて使用され、組立の機台をなす枠体２と、枠体２の一方側である排気側に取り付けられるシャッタ７と、このシャッタ７を開閉するシャッタ用モータ（図示せず）と開閉レバー８からなるシャッタ開閉機構９と、この枠体２の他方側である吸気側にモータ支え３を用いて取り付けられ、軸流式のファン４を取り付けたモータ５からなる電動ファン６とから構成される。
【００１２】
枠体２は板金製で、取付壁の開口部に挿入して取り付けられる。枠体２は、電動ファンの外周に配される本体カバー１０を取り付ける平板ロ字状（フランジ状）の前枠１１と、この前枠１１の内側から一体かつ排気側に平行に延びる平板状の一対の右取付枠部１２、左取付枠部１３と、この両取付枠部１２、１３間に平行に橋設される平板状の一対の上補強枠材１４、下補強枠材１５とを備え、排気側に、排気用開口をなし、シャッタ７が取り付けられるロ字状開口１６が形成される。
【００１３】
図３乃至図５に示すように、前枠１１は正方形状のファン用開口１７を形成して、取付壁と平行（図中垂直）に延び、４隅には、換気扇１取り付け用のネジ孔１１ａが穿設される。
【００１４】
前枠１１の上側に位置する上前枠部１８には、前方にわずかに突出した段部１１ｃを介して上前枠部１８と平行に立上る２個の係止舌片１１ｂが突設され、さらに、上前枠部１８の内側から直角に立上って排気側に延びる短い上補助取付枠部１９が設けられる。
【００１５】
係止舌片１１ｂは、図１に示す周枠２０の上周枠部２１に設けた２個の係止孔２１ａに係合し、上補助取付枠部１９は上補強枠材１４の前端を支持する。
【００１６】
また、下前枠部２２には、略Ｌ字状の２個の係止片２２ａが設けられ、さらに、下前枠部２２の内側から直角に立上って排気側に延びる短い下補助取付枠部２３が設けられる。係止片２２ａは周枠２０の下周枠部２４に設けた係止長孔（図示せず）に係合し、下補助取付枠部２３は下補強枠材１５の前端を支持する。
【００１７】
さらに、右前枠部２５、左前枠部２６には、それぞれの側方から折り曲げられて前方に突出した移動制止片２５ａ、２６ａが設けられ、この移動制止片２５ａ、２６ａは図１に示す本体カバーの周囲に設けられた周枠２０の右周枠部２７、左周枠部２８の裏面内壁面と当接して、本体カバー１０の左右の動きを抑制し、本体カバー１０の確実な取り付けがなされる。また、右前枠部２５、左前枠部２６の内側から一体で直角に立上って排気側に延びる右取付枠部１２、左取付枠部１３が取り付け固定されている。
【００１８】
図６に示すように、この両取付枠部１２、１３の先端近傍には、外側から内側（ロ字状開口１６側）に凹み、上下に延びる長溝１２ａ、１３ａが設けられ、この長溝１２ａ、１３ａには、かしめ孔１２ｂ、１３ｂが穿設され、さらに、先端部１２ｃ、１３ｃはカール状に形成される。かしめ孔１２ｂ、１３ｂには、シャッタ７を軸支する支持軸部材２９がかしめにより取り付けられ、支持軸部材２９の頭部２９ａが長溝１２ａ、１３ａに収容される。長溝１２ａ、１３ａは両取付枠部１２、１３の補強とともに、支持軸部材２９の頭部２９ａを収容して、安全性と美観を図る。
【００１９】
上補強枠材１４の中央部近傍には、下方（内側）に凹んだ長方形状の上凹状部１４ａが上補強枠材１４の長手方向に沿って形成され、この上凹状部１４ａにはモータ支え３を螺着するねじ孔１４ｂが設けられ、さらに、両端から下方に平行に立上る一対の係合用の立上１４ｃが設けられる。
【００２０】
また、同様に、下補強枠材１５の中央部近傍には、上方（内側）に凹んだ長方形状の下凹状部１５ａが下補強枠材１５の長手方向に沿って形成され、この下凹状部１５ａにはモータ支え３を螺着するねじ孔１５ｂが設けられ、さらに、前方を除く三方の端部から下方に立上る３個の係合用の立上１５ｃが設けられる。
【００２１】
図２に示すシャッタ開閉機構９は、換気扇１へ通電することにより、一対の支持軸部材２９間に軸支されるシャッタ７が、図示しないシャッタ用モータの駆動により、開閉レバー８が下げられて、開放され、同時にモータ５の駆動により、ファン４を回転させ室内空気を屋外に排出する構造をなす。
【００２２】
本発明に係る換気扇は次のようにして組み立てられる。
【００２３】
図３に示す枠体２の組立は、最初に図５に示すように、平板の板金材からプレス加工によって、組立の機台をなす枠体（両補強枠材１４、１５を除く）２を打ち抜く。なお、図中斜線部は打抜部である。
【００２４】
打ち抜かれた枠体２には、平板状の前枠１１、両取付枠部１２、１３及び両補助取付枠部１９、２３などが一体に形成され、さらに、長溝１２ａ、１３ａの溝加工、穿孔加工がなされ、次加工工程で、図４に示す両取付枠部１２、１３及び両補助取付枠部１９、２３の奥行き方向への折り曲げ加工及び図６に示すカール状の先端部１２ｂ、１３ｂの折り曲げ加工が行われる。一方、両補強枠材１４、１５は、それぞれ平板の板金材からプレス加工によって打ち抜かれる。
【００２５】
平板状の前枠１１、両取付枠部１２、１３及び両補助取付枠部１９、２３が折り曲げ加工された枠体（両補強枠材１４、１５を除く）２に、両補強枠材１４、１５を取り付け、両補助取付枠部１９、２３で両補強枠材１４、１５の一端を支持し、さらに、両補強枠材１４、１５の一対の係合用の立上１４ｃ及び３個の係合用の立上１５ｃを両取付枠部１２、１３の端部に係合して、両補強枠材１４、１５を取り付ける。
【００２６】
しかる後、両補助取付枠部１９、２３を利用して、両補助取付枠部１９、２３に両補強枠材１４、１５の前端をスポット溶接等で溶着して、枠体２を一体的に組み立てる。さらに、支持軸部材２９をかしめ孔１２ｂ、１３ｂにかしめ、両取付枠部１２、１３に取り付ける。このスポット溶接により、両補強枠材１４、１５は両補助取付枠部１９、２３に強固に固着され、枠体２が強固になる。
【００２７】
このような枠体２の組立工程において、前枠１１、両取付枠部１２、１３及び両補助取付枠部１９、２３をプレスの切断加工と曲げ加工で一体に成形するので、プレス加工による一体絞りによって成形する従来と異なり、板金材表面に付されたメッキ層を剥離することがなくて、追加の塗装、特殊の絞り材を使用する必要がなく、コストダウンが可能である。また、長溝１２ａ、１３ａを平板状態の板金の切断工程で溝成形を行うなど、曲げ加工前の工程で多くの加工を行うことができるため、上記一体絞り加工後に溝成形を行う従来と異なり、加工が容易になり、コストダウンが可能である。
【００２８】
また、従来の一体絞り加工における枠体では４隅に大きなＲを必要とし、上部と下部の開口面積を狭め、著しく排気性能が低下するが、本実施形態の枠体２では複数個のシャッタ形状が同一であり、両取付枠部１２、１３と両補強枠材１４、１５で大きな排気開口を形成することができ、排気性能が向上する。
【００２９】
さらに、図２に示すように、支持軸部材２９を介して、シャッタ７を枠体２に取り付け、また、シャッタ開閉機構９を取り付け、さらに、両補強枠材１４、１５を介してモータ支え３を枠体２に螺着する。
【００３０】
しかる後、モータ５をモータ支え３に取り付け、モータ５にファン４を取り付ける。さらに、本体カバー１０を枠体２に係合、着脱自由に取り付ける。
【００３１】
なお、換気扇１の取付壁への取り付けは、本体カバー１０を枠体２から外した状態で、両取付枠部１２、１３と両補強枠材１４、１５からなる枠体２を取付壁に設けた取付開口に挿入し、ねじ孔１１ａを貫通する取付ねじを取付壁に螺挿した後、本体カバー１０を枠体２の前枠１１に取り付ける。
【００３２】
また、このカール状の先端部１２ｂ、１３ｂにより、取付工事及び清掃時の怪我を防止することができる。さらに、枠体２の前枠１１と両取付枠部１２、１３とが板金材を用いて一体に成形されるので、前枠近傍に多くの別個の部材を取り付ける従来と異なり、スムーズな清掃が行え、清掃性が向上する。
【００３３】
本実施形態に係る換気扇によれば、高性能で安価な換気扇が実現する。
【図面の簡単な説明】
【００３４】
【図１】本発明の一実施形態に係る換気扇の斜視図。
【図２】本発明の一実施形態に係る換気扇から電動ファンを除去して示す斜視図。
【図３】本発明の一実施形態に係る換気扇に用いる枠体の斜視図。
【図４】本発明の一実施形態に係る換気扇に用いる枠体を分解して示す斜視図。
【図５】本発明の一実施形態に係る換気扇に用いる枠体を展開して示す平面図。
【図６】本発明の一実施形態に係る換気扇に用いる枠体の取付枠部の先端部近傍の縦断面図。
【図７】従来の換気扇の背面図。
【符号の説明】
【００３５】
１…換気扇、２…枠体、３…モータ支え、６…電動ファン、７…シャッタ、９…シャッタ開閉機構、１０…本体カバー、１１…前枠、１２…右取付枠部、１３…左取付枠部、１４…上補強枠材、１５…下補強枠材、１６…ロ字状開口、１７…ファン用開口、１８…上前枠部、１９…上補助取付枠部、２０…周枠、２２…下前枠部、２３…下補助取付枠部、２５…右前枠部、２６…左前枠部、２７…右周枠部、２８…左周枠部。
【図１】
2008175509.tif 000003
【図２】
2008175509.tif 000004
【図３】
2008175509.tif 000005
【図４】
2008175509.tif 000006
【図５】
2008175509.tif 000007
【図６】
2008175509.tif 000008
【図７】
2008175509.tif 000009